(57)【要約】【課題】経済性と施工性を改善できる多自然形擁壁緑化技術を提供すること。【解決手段】水平な網面２５と垂直な網面２２で構成される擁壁前面の段差部に、土砂流出防止シート３０を付設し、土砂流出防止シート３０で植生基盤材５０の透過を規制した状態で段差部を植生基盤材５０で覆い、植生基盤材に植生して緑化する。【選択図】図１
2007162393.tif 000002
【特許請求の範囲】
【請求項１】
内部に石詰めしながら複数の布団篭を階段状に積み上げて構築する擁壁の緑化方法であって、
水平な網面と垂直な網面で構成される前記擁壁前面の段差部に、土砂流出防止シートを付設し、
前記土砂流出防止シートで植生基盤材の透過を規制した状態で前記段差部を植生基盤材で覆い、
前記植生基盤材に植生して緑化することを特徴とする、
多自然形擁壁緑化工法。
【請求項２】
請求項１において、水平な網面と垂直な網面で構成される前記擁壁前面の段差部のうちの少なくとも水平な網面の一面に、土砂流出防止シートが付設してあることを特徴とする、多自然形擁壁緑化工法。
【請求項３】
請求項１において、水平な網面と垂直な網面で構成される前記擁壁前面の段差部のうちの少なくとも垂直な網面に土砂流出防止シートを付設し、前記擁壁前面の段差部のうちの水平な網面が植生基盤材の浸透を許容することを特徴とする、多自然形擁壁緑化工法。
【請求項４】
請求項１において、水平な網面と垂直な網面で構成される前記擁壁前面の段差部のうちの少なくとも水平な網面と垂直な網面の二面に、土砂流出防止シートが付設してあることを特徴とする、多自然形擁壁緑化工法。
【請求項５】
請求項１乃至請求項４の何れかにおいて、篭本体の一部に予め土砂流出防止シートを付設して製作した布団篭を使用して擁壁を構築することを特徴とする、多自然形擁壁緑化工法。
【請求項６】
複数の布団篭を階段状に積み上げて擁壁を構築し、該擁壁前面の段差部を覆った植生基盤材に植生した多自然形擁壁の構造であって、
水平な網面と垂直な網面で構成される前記擁壁前面の段差部に、植生基盤材の透過を規制する土砂流出防止シートを付設し、
前記土砂流出防止シートで植生基盤材の透過を規制したことを特徴とする、
多自然形擁壁の構造。
【請求項７】
請求項６において、水平な網面と垂直な網面で構成される前記擁壁前面の段差部のうちの少なくとも水平な網面の一面に、土砂流出防止シートを付設したことを特徴とする、多自然形擁壁の構造。
【請求項８】
請求項６において、水平な網面と垂直な網面で構成される前記擁壁前面の段差部のうちの少なくとも垂直な網面に土砂流出防止シートを付設し、擁壁前面の段差部を覆った植生基盤材の一部が前記擁壁前面の段差部のうちの水平な網面を透過して布団篭の前部に浸透していることを特徴とする、多自然形擁壁の構造。
【請求項９】
請求項６において、水平な網面と垂直な網面で構成される前記擁壁前面の段差部のうちの少なくとも水平な網面と垂直な網面の二面に、土砂流出防止シートを付設したことを特徴とする、多自然形擁壁の構造。
【発明の詳細な説明】
【技術分野】
【０００１】
本発明は河川、湖沼や各種斜面を保護する擁壁の緑化技術に関し、より詳細には複数の布団篭を階段状に段積みして構築した擁壁を緑化する多自然形擁壁緑化工法及び多自然形擁壁の構造に関するものである。
【背景技術】
【０００２】
河川の護岸方法の一つとして、詰石しながら金網製の布団篭を階段状に積み上げて重量式の擁壁を構築する方法が広く知られている。
この護岸擁壁は、複数の布団篭の重量で以って水流に対抗するもので、良質の詰石を用いて適度な通水性を確保している。
一方、布団篭を用いた護岸擁壁は表面に金網がそのまま露出して美観上問題があったことと、最近の自然環境重視の観点から、布団篭製の護岸擁壁においても積極的に緑化を図ることが求められている。
この要請を受けて、例えばつぎのような護岸擁壁の緑化方法が提案されている。
（ａ）篭体の内側に種子や肥料を含有した緑化シートを付設して緑化する方法。
（ｂ）布団篭の前部に種子含有の植生土のうを収納するとともに、その後部に詰石を収容して、布団篭の前面を緑化する方法（特許文献１）等。
【０００３】
【特許文献１】特開２００３−２３２０２３
【発明の開示】
【発明が解決しようとする課題】
【０００４】
従来の護岸の緑化技術にはつぎのような問題点がある。
（１）種子を含有した緑化シートを用いた場合は、植物が定着するだけの十分な植生基盤材が存在しないために、短期的な一過性の緑化は実現できても、長期的な自然緑化を期待することができない。
（２）植生土のうを用いる方法は、植生土のうの収容によって布団篭本来の通水性が犠牲になり、増水時に布団篭群が流出し易くなって護岸が崩壊する危険性がある。
（３）何れの方法にあっても、従来の緑化技術はコストが高くことと、その施工に多くの労力と期間を要するという共通した問題点がある。
【０００５】
本発明は以上の点に鑑みて成されたもので、その目的とするところは、経済性と施工性を改善できる多自然形擁壁緑化技術を提供することにある。
さらに本発明の目的は、簡易な手法で以って植生基盤材の流出を抑制して長期緑化を実現できる、多自然形擁壁緑化技術を提供することにある。
【課題を解決するための手段】
【０００６】
本願の第１発明は、内部に石詰めしながら複数の布団篭を階段状に積み上げて構築する擁壁の緑化方法であって、水平な網面と垂直な網面で構成される前記擁壁前面の段差部に、土砂流出防止シートを付設し、前記土砂流出防止シートで植生基盤材の透過を規制した状態で前記段差部を植生基盤材で覆い、前記植生基盤材に植生して緑化することを特徴とする、多自然形擁壁緑化工法を提供する。
本願の第２発明は、前記第１発明において、水平な網面と垂直な網面で構成される前記擁壁前面の段差部のうちの少なくとも水平な網面の一面に、土砂流出防止シートが付設してあることを特徴とする、多自然形擁壁緑化工法を提供する。
本願の第３発明は、前記第１発明において、水平な網面と垂直な網面で構成される前記擁壁前面の段差部のうちの少なくとも垂直な網面に土砂流出防止シートを付設し、前記擁壁前面の段差部のうちの水平な網面が植生基盤材の浸透を許容することを特徴とする、多自然形擁壁緑化工法を提供する。
本願の第４発明は、前記第１発明において、水平な網面と垂直な網面で構成される前記擁壁前面の段差部のうちの少なくとも水平な網面と垂直な網面の二面に、土砂流出防止シートが付設してあることを特徴とする、多自然形擁壁緑化工法を提供する。
本願の第５発明は、前記第１発明乃至第４発明の何れかにおいて、篭本体の一部に予め土砂流出防止シートを付設して製作した布団篭を使用して擁壁を構築することを特徴とする、多自然形擁壁緑化工法を提供する。
【０００７】
又、本発明は乾式、又は湿式の植生基盤材を前記擁壁前面の段差部に吹き付けて被覆したことを特徴とする。
又、本発明は、篭本体の底網、前直網、前平網の三面に亘って土砂流出防止シートを予め付設して製作した布団篭を使用することを特徴とする。
又、本発明は、篭本体の底網、前直網の二面に亘って土砂流出防止シートを予め付設して製作した布団篭を使用することを特徴とする。
【０００８】
本願の第６発明は、複数の布団篭を階段状に積み上げて擁壁を構築し、該擁壁前面の段差部を覆った植生基盤材に植生した多自然形擁壁の構造であって、水平な網面と垂直な網面で構成される前記擁壁前面の段差部に、植生基盤材の透過を規制する土砂流出防止シートを付設し、前記土砂流出防止シートで植生基盤材の透過を規制したことを特徴とする、多自然形擁壁の構造を提供する。
本願の第７発明は、前記第６発明において、水平な網面と垂直な網面で構成される前記擁壁前面の段差部のうちの少なくとも水平な網面の一面に、土砂流出防止シートを付設したことを特徴とする、多自然形擁壁の構造を提供する。
本願の第８発明は、前記第６発明において、水平な網面と垂直な網面で構成される前記擁壁前面の段差部のうちの少なくとも垂直な網面に土砂流出防止シートを付設し、擁壁前面の段差部を覆った植生基盤材の一部が前記擁壁前面の段差部のうちの水平な網面を透過して布団篭の前部に浸透していることを特徴とする、多自然形擁壁の構造を提供する。
本願の第７発明は、前記第６発明において、水平な網面と垂直な網面で構成される前記擁壁前面の段差部のうちの少なくとも水平な網面と垂直な網面の二面に、土砂流出防止シートを付設したことを特徴とする、多自然形擁壁の構造を提供する。
【０００９】
又、本発明は、前記した布団篭が、篭本体と、篭本体の一部に付設した土砂流出防止シートとよりなり、前記篭本体が、矩形の底網と、底網の相対向する辺に夫々回動自在に連結した前直網、後直網と、底網の一辺に設けた側網と、前直網の上辺に連結する蓋材である前平網とを具備することを特徴とする。
又、本発明は、篭本体の底網、前直網、前平網の三面に亘って略コ字形に土砂流出防止シートを付設した布団篭を使用することを特徴とする。
又、本発明は、篭本体の底網、前直網の二面に亘って略Ｌ字形に土砂流出防止シートを付設した布団篭を使用することを特徴とする。
【発明の効果】
【００１０】
本発明は次の特有の効果を得ることができる。
（１）篭本体の一部に土砂流出防止シートを付設した布団篭を、階段状に積み上げて構築した擁壁の構築作業に、擁壁前面の段差部を植生基盤材で被覆する作業が加わるだけであるから、施工に要するコストと時間を大幅に削減できて、従来の擁壁の緑化技術と比較して経済性と施工性を大幅に改善することができる。
（２）土砂流出防止シートが降雨や流水によって植生基盤材の透過を規制するので、植生基盤材を擁壁前面の段差部に長期間に亘って安定して保持することができる。
したがって、短期の緑化は勿論のこと、長期間に亘る緑化を実現できる。
（３）土砂流出防止シートは篭本体の一部に付設するだけであるから、布団篭の通水性を犠牲にする心配がない。
そのため、擁壁が護岸擁壁である場合には、布団篭の良好な通水性を維持したまま、護岸の保全と護岸擁壁の緑化の両立が可能となる。
（４）布団篭の段差部の全域が隠れるまで植生基盤材で被覆しなくとも、植物の繁茂を利用して擁壁前面の露出した段差部を視覚的に遮蔽できるので、擁壁の全面緑化を実現することができる。
（５）水平な網面と垂直な網面で構成される擁壁前面の段差部のうちの少なくとも垂直な網面に土砂流出防止シートを付設し、擁壁前面の段差部を覆った植生基盤材の一部が擁壁前面の段差部のうちの水平な網面を透過して布団篭の前部に浸透させた場合は、より多くの量の植生基盤材を保持することができる。
そのため、根系の伸長が大きな木本類や草花類でも植生が可能となって、緑化植物の選択範囲が広がる。
【発明を実施するための最良の形態】
【００１１】
以下に図面を参照しながら本発明を実施するための最良の形態について説明する。
【００１２】
［主要な資材］
【００１３】
（１）布団篭
図２に本発明で使用する段積用の布団篭１０の一例を示す。
布団篭１０は金網製の篭本体２０と、篭本体２０の一部に付設した土砂流出防止シート３０とよりなる。
【００１４】
（２）篭本体
図示した篭本体２０は、矩形の底網２１と、底網２１の相対向する辺に夫々回動自在に連結した前直網２２、後直網２３と、底網２１の一辺に設けた側網２４と、前直網２２の上辺に連結する蓋材である前平網２５とを有する公知の篭体である。必要に応じて、篭本体２０に側網２４と平行な仕切網（図示せず）を追加する場合もある。
【００１５】
前平網２５は、篭本体２０を前平網２５の幅分だけ前後に位置をずらして階段状に段積みしたときに、上段の篭本体２０の網材と重複する素材の無駄をなくすための蓋材であり、その幅寸法は篭本体２０の勾配により求められる。
前平網２５は前直網２２に対して、予め工場等で連結しておくことが望ましいが、現場で後付けしてもよい。
又、最上段の篭本体２０は、蓋材である前平網２５が底網２１と同じ大きさのものを使用する。
【００１６】
篭本体２０の素材としては、菱形金網、溶接金網、亀甲金網、合成樹脂製ネット等の網素材により形成し、その網目寸法は土砂５０の透過を許容し、詰石１１の透過を規制できる寸法であればよい。
尚、篭本体２０の各部の寸法は適宜選択するものであって、図示した形態に限定されるものではない。
【００１７】
（３）土砂流出防止シート
土砂流出防止シート３０は、後述するように植生基盤材となる土砂５０の流出を防止するためのシートであり、透水性を有しつつ、土砂５０に対して難透過性を有する性質を有する。
ここでいう「難透過性」とは、土砂５０の完全遮断を意味するものではなく、土砂５０の多少の透過を許容する性質を意味するものである。
【００１８】
単に土砂の透過を阻止するだけであれば、網目の小さな網材を用いて篭本体２０を形成すれば足りるが、網目の小さな網材を使用すると、強度の確保が難しいことと、コストが高く付く難点がある。
そこで、本発明では、公知の篭本体２０と土砂５０の透過防止部材とを別部材に分けて布団篭１０を構成することとした。
したがって、土砂流出防止シート３０の素材としては、できるだけ入手が容易で安価な素材を使用することが望ましく、例えば次の素材が使用可能である。
【００１９】
＜ａ＞ヤシマット等の各種植物性の素材で形成したマット、又はシート。
＜ｂ＞布又は紙の素材で形成したマット、又はシート。
＜ｃ＞生分解性の素材で形成したマット、又はシート。
＜ｄ＞樹脂製糸で形成したポーラスマット、又はシート。
＜ｅ＞金網等。
【００２０】
又、土砂流出防止シート３０の大きさは、前記した篭本体２０の底網２１、前直網（垂直な網面）２２、及び前平網（水平な網面）２５に亘り内側から覆うことができる寸法であればよく、篭本体２０の製造時に予め取り付けておくとよい。
土砂流出防止シート３０の固定手段としては、容易に剥がれないように数箇所を篭本体２０に結束する程度で十分である。
【００２１】
［構築方法］
【００２２】
つぎに図３〜５を参照しながら擁壁の構築方法について説明する。
【００２３】
（１）擁壁の構築
図３に示すように、斜面４０に吸出し防止シート４１を付設した後、現場に搬入して箱状に組み立てた複数の布団篭１０を隣接させて横一列に配設する。
つぎに土砂流出防止シート３０を一部に付設した各布団篭１０内に詰石１１を投入し、さらに各布団篭１０の後方に骨材等の裏込材１２を投入して一段目の施工を終了する。
引き続き、図４に示すように一段目の布団篭１０の上部に前後に位置をずらして、同様に二段目の布団篭１０を施工する。上下左右に隣接する各布団篭１０の間をコイル材等で相互に連結する。
そして、図５に示すように複数の布団篭１０を所定の高さまで積み上げて、階段状の擁壁を構築する。
【００２４】
各布団篭１０の前部の底網２１、前直網２２、及び前平網２５はその内側を断面略コ字形の土砂流出防止シート３０で予め覆われているため、擁壁全体としては前面に露出した段差部が土砂流出防止シート３０で覆われたことになる。
【００２５】
（２）土砂の設置
図３に示すように、土砂流出防止シート３０で覆われた擁壁の段差部に植生基盤材である土砂５０を設置する。
土砂５０の設置方法としては、例えば加水した湿式、又は乾式の土砂５０を擁壁の段差部へ向けて吹き付ける方法や、或いは擁壁の最上段に山積みした土砂５０を、擁壁の前面に落として段差部に貯め置く方法等を採用できる。
又、土砂５０の設置量は、段差部の前直網２２と前平網２５の全面が隠れるまで設置できれば最適であるが、擁壁の勾配が急な場合は前直網２２の一部が隠れる程度でもよい。
【００２６】
土砂５０は安価で入手が容易な一般土砂や砂でよく、必要に応じてシルト等を混入する。又、種子を予め混入させておいた土砂５０を使用してもよい。
前直網２２と前平網２５により構成される擁壁の段差部は、土砂流出防止シート３０が付設されているので、土砂５０は土砂流出防止シート３０を透過して内部へ落下しない。
【００２７】
そして、擁壁の段差部に設置した土砂５０を基盤として草本類、木本類の各種植物の種子を播種するか、或いは植栽して、図１に示すような擁壁の全面を緑化する。
土砂５０を前直網２２の一部が隠れる程度に設置した場合でも、繁茂した植物により前直網２２の露出部分が隠れるので、擁壁の全面緑化は阻害されない。
【００２８】
（３）植物の生育について
擁壁の段差部に盛られた土砂５０は土砂流出防止シート３０により布団篭１０の内部へ浸入しない。仮に擁壁が河川の護岸擁壁であって流水と接しても、土砂５０は土砂流出防止シート３０により布団篭１０の内部へ浸透しない。
そのため、植物が生育するのに必要十分な量の土砂５０を保持できるので、植物の短期的な緑化は勿論のこと、複数年に亘る長期緑化も可能となる。
【００２９】
［その他の実施の形態１］
以降に他の実施の形態について説明するが、その説明に際し、前記した実施の形態１と同一の部位は同一の符号を付してその詳しい説明を省略する。
【００３０】
図６〜図９に土砂流出防止シート３０の付設箇所の異なる他の布団篭を用いて構築した擁壁の緑化方法について説明する。
【００３１】
図６に示した布団篭２０は、篭本体２０の前平網２５、前直網２２及び底網２１の三面に断面コ字形の土砂流出防止シート３０を付設したもので、底網２１の付設長が前平網２５と略同じ長さに設定してある。
本例の布団篭２０を用いた擁壁の構築方法や緑化方法は、既述した実施の形態と同様である。
本例にあっては、篭本体２０の底網２１を覆う土砂流出防止シート３０の付設長を短くできるので資材の使用量を削減できる利点がある。
【００３２】
図７に示した布団篭２０は、篭本体２０の前平網２５と前直網２２に、両網２２，２５の幅より長めの土砂流出防止シート３０を予め付設したものである。
又、その施工に際しては、下段の布団篭１０を施工する際に、下段の布団篭１０から延びる土砂流出防止シート３０の余長部を篭の前側に捲り上げておき、この状態で詰石１１を行い、その後に土砂流出防止シート３０の余長部を詰石１１の上面に敷き詰めるようにする。
本例では、篭本体２０の底網２１の上面に土砂流出防止シート３０を付設せずに、最終的に擁壁として組み立てたときに上段の篭本体２０の底網２１の下面に付設されることになる。
【００３３】
図８に示した布団篭２０は、篭本体２０の前平網２５と前直網２２の内側に逆Ｌ字形に土砂流出防止シート３０を付設した形態を示す。
【００３４】
図９は擁壁の段差部を構成する上下の布団篭２０，２０の前平網２５と前直網２２の外側にＬ字形の土砂流出防止シート３０を後付けして付設した形態を示す。
【００３５】
また図示を省略するが、布団篭２０は、篭本体２０の前平網２５のみに土砂流出防止シート３０を付設して構成してもよい。
【００３６】
［その他の実施の形態２］
【００３７】
先の図６〜図９に示した形態は、擁壁の少なくとも段差部を構成する前平網２５と前直網２２に土砂流出防止シート３０を取り付け、内部への土砂５０の浸入を抑制する場合について説明したが、前平網２５は土砂流出防止シート３０を付設せずに開放した形態の布団篭１０を使用する場合もある。
【００３８】
前平網２５の開放した形態としては、図１０〜図１２の形態が採用可能である。
図９，１０は、篭本体２０の前直網２２と底網２１の二面に亘って断面Ｌ字形に土砂流出防止シート３０を付設した布団篭１０を示す。
図９の布団篭１０は底網２１の全幅に亘って土砂流出防止シート３０を付設したものであり、図１０は底網２１に付設する土砂流出防止シート３０の長さを前平網２５の全幅と同じか、或いはこれより僅か長く設定したものである。
【００３９】
本例の布団篭１０を使用して構築した擁壁にあっては、擁壁の段差部を構成する前平網２５と前直網２２のうち、前平網２５に土砂流出防止シート３０が敷設されていない。
そのため、擁壁の段差部に盛った土砂５０一部が、布団篭１０の前部に浸透することになるが、前直網２２と底網２１の二面に付設した土砂流出防止シート３０は、内部に浸透した土砂５０の透過を規制して篭外への自由な流出を防止する。
【００４０】
したがって、本例にあっては、植物の植生基盤材となる土砂５０の保持量が、擁壁の段差部に盛られた分に加えて、布団篭１０の前部に浸透した量が加わることになる。
そのため、根系の伸長が大きな木本類や草花類でも植生が可能となって、緑化植物の選択範囲が広がるという利点がある。
【００４１】
尚、図１２に示すように底網２１の内側の一面のみに土砂流出防止シート３０を付設した布団篭１０を使用して擁壁を構築する場合もある。
【００４２】
［その他の実施の形態３］
【００４３】
擁壁が河川の護岸擁壁である場合、擁壁の段差部に盛った土砂５０が水の流れによって流出することが予想される。
このような場合、土砂５０が擁壁の段差部の長手方向に沿って移動するのを規制するための堰を擁壁の段差部に所定の間隔を隔てて設けるとよい。
堰としては例えば土砂５０の透過を規制する網材、板材、棒材等で構成できる。
【００４４】
［その他の実施の形態４］
【００４５】
以上は底網２１より幅の狭い蓋材である前平網２５を具備した布団篭２０を使用して擁壁を構築する場合について説明したが、本発明はこの形態の布団篭２０に限定されない。
例えば底網２１と同形同寸法の蓋網を具備する周知の篭本体２０に、既述した実施の形態の土砂流出防止シート３０を付設して構成した布団篭を使用してもよい。
【図面の簡単な説明】
【００４６】
【図１】本発明の実施の形態に係る多自然形擁壁の部分拡大図
【図２】本発明で使用する布団篭の斜視図
【図３】多自然形擁壁緑化工法の説明図で、一段目の布団篭の構築工程の説明図
【図４】多自然形擁壁緑化工法の説明図で、二段目の布団篭の構築工程の説明図
【図５】多自然形擁壁緑化工法の説明図で、擁壁前面の段差部に土砂を設置する工程の説明図
【図６】その他の実施の形態１に係る説明図で、他の布団篭を用いて構築した擁壁の部分断面図
【図７】その他の実施の形態１に係る説明図で、他の布団篭を用いて構築した擁壁の部分断面図
【図８】その他の実施の形態１に係る説明図で、他の布団篭を用いて構築した擁壁の部分断面図
【図９】その他の実施の形態１に係る説明図で、他の布団篭を用いて構築した擁壁の部分断面図
【図１０】その他の実施の形態２に係る説明図で、他の布団篭を用いて構築した擁壁の部分断面図
【図１１】その他の実施の形態２に係る説明図で、他の布団篭を用いて構築した擁壁の部分断面図
【図１２】その他の実施の形態２に係る説明図で、他の布団篭を用いて構築した擁壁の部分断面図
【符号の説明】
【００４７】
１０・・・・・布団篭
１１・・・・・詰石
２０・・・・・篭本体
２１・・・・・底網
２２・・・・・前直網
２３・・・・・後直網
２４・・・・・側網
２５・・・・・前平網
３０・・・・・土砂流出防止シート
４０・・・・・斜面
５０・・・・・土砂
【図１】
2007162393.tif 000003
【図２】
2007162393.tif 000004
【図３】
2007162393.tif 000005
【図４】
2007162393.tif 000006
【図５】
2007162393.tif 000007
【図６】
2007162393.tif 000008
【図７】
2007162393.tif 000009
【図８】
2007162393.tif 000010
【図９】
2007162393.tif 000011
【図１０】
2007162393.tif 000012
【図１１】
2007162393.tif 000013
【図１２】
2007162393.tif 000014